(57)【要約】【課題】安全性を害することなく、また、周囲の迷惑となることなく、使用者に通知を行う。【解決手段】本発明の通知装置は、使用者に装着される通知装置であって、他の装置と通信する通信部と、形状記憶合金を備え、前記通知装置が使用者に装着された状態で前記形状記憶合金が変形することで前記使用者に触圧覚を呈示する触圧覚呈示部と、前記形状記憶合金の加熱を行う加熱部と、前記形状記憶合金の温度を測定し、測定結果を出力する測定部と、所定のイベントが発生したことを示すイベント発生信号を前記通信部が受信すると、前記加熱部に前記形状記憶合金の加熱を行わせる制御部とを有し、前記制御部は、前記測定部の出力に示される前記形状記憶合金の温度が所定の温度以上となると、前記加熱部に前記形状記憶合金の加熱を停止させる。【選択図】図９
2013183368.tif 000002
【特許請求の範囲】
【請求項１】
使用者に装着される通知装置と、前記通知装置と通信可能な情報処理装置と、を備え、
前記情報処理装置は、
前記通知装置と通信する第１の通信部と、
所定のイベントが発生すると、前記所定のイベントが発生したことを示すイベント発生信号を前記第１の通信部に前記通知装置へ送信させる第１の制御部と、を有し、
前記通知装置は、
前記情報処理装置と通信する第２の通信部と、
形状記憶合金を備え、前記通知装置が使用者に装着された状態で前記形状記憶合金が変形することで前記使用者に触圧覚を呈示する触圧覚呈示部と、
前記形状記憶合金の加熱を行う加熱部と、
前記形状記憶合金の温度を測定し、測定結果を出力する温度測定部と、
前記第２の通信部が前記イベント発生信号を受信すると、前記加熱部に前記形状記憶合金の加熱を行わせる第２の制御部とを有し、
前記第２の制御部は、前記温度測定部の出力に示される前記形状記憶合金の温度が所定の温度以上となると、前記加熱部に前記形状記憶合金の加熱を停止させることを特徴とする通知システム。
【請求項２】
請求項１記載の通知システムにおいて、
前記情報処理装置は、
前記使用者に通知を行う際の動作モードを記憶する記憶部をさらに有し、
前記第１の制御部は、前記記憶部に記憶されている動作モードが所定の動作モードである場合には、前記所定のイベントが発生すると、前記イベント発生信号を前記第１の通信部に前記通知装置へ送信させることを特徴とする通知システム。
【請求項３】
請求項１または２記載の通知システムにおいて、
前記加熱部は、前記形状記憶合金に電圧を印加して、加熱することを特徴とする通知システム。
【請求項４】
請求項１から３のいずれか１項に記載の通知システムにおいて、
前記温度測定部は、前記形状記憶合金の前記使用者に触れる部分の温度を測定することを特徴とする通知システム。
【請求項５】
使用者に装着される通知装置であって、
他の装置と通信する通信部と、
形状記憶合金を備え、前記通知装置が使用者に装着された状態で前記形状記憶合金が変形することで前記使用者に触圧覚を呈示する触圧覚呈示部と、
前記形状記憶合金を加熱する加熱部と、
前記形状記憶合金の温度を測定し、測定結果を出力する測定部と、
所定のイベントが発生したことを示すイベント発生信号を前記通信部が受信すると、前記加熱部に前記形状記憶合金の加熱を行わせる制御部とを有し、
前記制御部は、前記測定部の出力に示される前記形状記憶合金の温度が所定の温度以上となると、前記加熱部に前記形状記憶合金の加熱を停止させることを特徴とする通知装置。
【請求項６】
請求項５記載の通知装置において、
前記加熱部は、前記形状記憶合金に電圧を印加して、加熱することを特徴とする通知システム。
【請求項７】
請求項５または６記載の通知装置において、
前記温度測定部は、前記形状記憶合金の前記使用者に触れる部分の温度を測定することを特徴とする通知装置。
【請求項８】
使用者に装着され、形状記憶合金を備え、前記使用者に装着された状態で前記形状記憶合金が変形することで前記使用者に触圧覚を呈示する触圧覚呈示部を有する通知装置の制御方法であって、
他の装置と通信し、
所定のイベントが発生したことを示すイベント発生信号を前記他の装置から受信すると、前記形状記憶合金を加熱し、
前記形状記憶合金の温度を測定し、
前記測定した前記形状記憶合金の温度が所定の温度以上となると、前記形状記憶合金の加熱を停止することを特徴とする通知装置の制御方法。
【請求項９】
請求項８記載の通知装置の制御方法において、
前記形状記憶合金に電圧を印加して、加熱することを特徴とする通知装置の制御方法。
【請求項１０】
請求項８または９記載の通知装置の制御方法において、
前記形状記憶合金の前記使用者に触れる部分の温度を測定することを特徴とする通知装置の制御方法。
【発明の詳細な説明】
【技術分野】
【０００１】
本発明は、使用者に通知を行う通知システム、通知装置およびその制御方法に関する。
【背景技術】
【０００２】
携帯電話、スマートフォンなどの情報処理装置において、通話あるいはメールの着信など所定のイベントが発生した際に使用者に通知を行う方法としては、種々のものある。例えば、情報処理装置にスピーカーを設け、所定のイベントが発生すると、スピーカーから通知音を出力して使用者に通知を行う方法がある。また、別の方法として、情報処理装置にバイブレータを設け、所定のイベントが発生すると、バイブレータを振動させることで使用者に通知を行う方法がある。
【０００３】
上述したような、音を出力して通知を行う方法やバイブレータを振動させて使用者に通知を行う方法では、映画の上映中や会議中などにおいて、通知音やバイブレータの振動音が周囲の迷惑となることがある。また、バイブレータを振動させて使用者に通知を行う方法では、使用者が情報処理装置をかばんの中に入れていた場合などに、バイブレータが振動していることに気が付かないことがある。
【０００４】
そこで、特許文献１には（特開平４−５３３１９号公報）には、使用者に装着される通知装置と、通知装置と通信可能な情報処理装置と、からなる通知システムが開示されている。特許文献１に開示の通知システムにおいては、情報処理装置は、所定のイベントが発生すると、所定のイベントが発生したことを示すイベント発生信号を通知装置に送信する。通知装置は、装着された状態で使用者の肌に触れる部分に形状記憶合金を備えており、イベント発生信号を情報処理装置から受信すると、形状記憶合金への電圧の印加を行って形状記憶合金の温度を上昇させて形状記憶合金を変形させ、使用者に触圧覚を呈示することで通知を行う。
【０００５】
特許文献１に開示の通知システムにおいては、使用者に直接、触圧覚を呈示することで確実に使用者に通知を行うことができるとともに、通知音やバイブレータの振動音などが発生しないため、周囲の迷惑となることもない。
【先行技術文献】
【特許文献】
【０００６】
【特許文献１】特開平４−５３３１９号公報
【発明の概要】
【発明が解決しようとする課題】
【０００７】
特許文献１に開示の通知システムにおいては、形状記憶合金への電圧の印加を行い、温度を上昇させることで形状記憶合金を変形させる。ここで、電圧印加系統の故障などにより、形状記憶合金の温度が高くなりすぎることがある。特許文献１に開示の通知システムにおいては、通知装置は使用者に装着されるものであるにも関わらず、形状記憶合金の温度については考慮されていないため、形状記憶合金の温度が高くなりすぎ、使用者が火傷などを負う可能性があるという問題がある。
【０００８】
本発明の目的は、安全性を害することなく、また、周囲の迷惑となることなく、使用者に通知を行うことができる通知システム、通知装置およびその制御方法を提供することにある。
【課題を解決するための手段】
【０００９】
上記目的を達成するために本発明の通知システムは、
使用者に装着される通知装置と、前記通知装置と通信可能な情報処理装置と、を備え、
前記情報処理装置は、
前記通知装置と通信する第１の通信部と、
所定のイベントが発生すると、前記所定のイベントが発生したことを示すイベント発生信号を前記第１の通信部に前記通知装置へ送信させる第１の制御部と、を有し、
前記通知装置は、
前記情報処理装置と通信する第２の通信部と、
形状記憶合金を備え、前記通知装置が使用者に装着された状態で前記形状記憶合金が変形することで前記使用者に触圧覚を呈示する触圧覚呈示部と、
前記形状記憶合金の加熱を行う加熱部と、
前記形状記憶合金の温度を測定し、測定結果を出力する温度測定部と、
前記第２の通信部が前記イベント発生信号を受信すると、前記加熱部に前記形状記憶合金の加熱を行わせる第２の制御部とを有し、
前記第２の制御部は、前記温度測定部の出力に示される前記形状記憶合金の温度が所定の温度以上となると、前記加熱部に前記形状記憶合金の加熱を停止させる。
【００１０】
上記目的を達成するために本発明の通知装置は、
使用者に装着される通知装置であって、
他の装置と通信する通信部と、
形状記憶合金を備え、前記通知装置が使用者に装着された状態で前記形状記憶合金が変形することで前記使用者に触圧覚を呈示する触圧覚呈示部と、
前記形状記憶合金の加熱を行う加熱部と、
前記形状記憶合金の温度を測定し、測定結果を出力する測定部と、
所定のイベントが発生したことを示すイベント発生信号を前記通信部が受信すると、前記加熱部に前記形状記憶合金の加熱を行わせる制御部とを有し、
前記制御部は、前記測定部の出力に示される前記形状記憶合金の温度が所定の温度以上となると、前記加熱部に前記形状記憶合金の加熱を停止させる。
【００１１】
上記目的を達成するために本発明の通知装置の制御方法は、
使用者に装着され、形状記憶合金を備え、前記使用者に装着された状態で前記形状記憶合金が変形することで前記使用者に触圧覚を呈示する触圧覚呈示部を有する通知装置の制御方法であって、
他の装置と通信し、
所定のイベントが発生したことを示すイベント発生信号を前記他の装置から受信すると、前記形状記憶合金の加熱を行い、
前記形状記憶合金の温度を測定し、
前記測定した前記形状記憶合金の温度が所定の温度以上となると、前記形状記憶合金の加熱を停止する。
【発明の効果】
【００１２】
本発明によれば、安全性を害することなく、また、周囲の迷惑となることなく、使用者に通知を行うことができる。
【図面の簡単な説明】
【００１３】
【図１】本発明の第１の実施形態の通知システムの構成を示す図である。
【図２】図１に示す情報処理装置の要部構成を示すブロック図である。
【図３】図１に示す通知装置の要部構成を示すブロック図である。
【図４】図１に示す通知装置の外観を示す図である。
【図５】図１に示す通知装置の装着時の状態を示す図である。
【図６】図１に示す情報処理装置の動作を示すフローチャートである。
【図７】図１に示す通知装置のイベント発生信号受信時の動作を示すフローチャートである。
【図８】図２に示す触圧覚呈示部の変形状態を示す図である。
【図９】図１に示す通知装置の電圧印加時の動作を示すフローチャートである。
【図１０】本発明の第２の実施形態の通知システムの構成を示す図である。
【発明を実施するための形態】
【００１４】
以下に、本発明を実施するための形態について図面を参照して説明する。
【００１５】
（第１の実施形態）
図１は、本発明の第１の実施形態の通知システム１０の構成を示す図である。
【００１６】
図１に示す通知システム１０は、情報処理装置２０と通知装置３０とを有する。
【００１７】
情報処理装置２０は、携帯電話、スマートフォン、携帯型ゲーム機、タブレットＰＣ（Ｐｅｒｓｏｎａｌ  Ｃｏｍｐｕｔｅｒ）、ノートＰＣなどであり、主に、使用者に携帯されて使用されるものである。
【００１８】
通知装置３０は、腕時計、ブレスレット、ヘッドバンド付きのヘッドフォンなどであり、主に、使用者に装着されるものである。また、通知装置３０は、Ｂｌｕｅｔｏｏｔｈ（登録商標）などの近距離無線通信を介して情報処理装置２０と通信が可能である。
【００１９】
次に、情報処理装置２０の構成について説明する。
【００２０】
図２は、情報処理装置２０の要部構成を示すブロック図である。なお、図２においては、情報処理装置２０が携帯電話あるいはスマートフォンである場合を例として説明する。
【００２１】
図２に示す情報処理装置２０は、無線部２１と、近距離通信部２２と、ペアリング処理部２３と、入力部２４と、設定記憶部２５と、制御部２６と、を有する。近距離通信部２２は、第１の通信部の一例であり、制御部２６は、第１の制御部の一例である。
【００２２】
無線部２１は、図２においては不図示の無線基地局と情報処理装置２０との間で行われる通信を処理する。
【００２３】
近距離通信部２２は、図２においては不図示の通知装置との間で行われるＢｌｕｅｔｏｏｔｈ（登録商標）などの近距離無線通信を処理する。
【００２４】
ペアリング処理部２３は、近距離通信部２２を介して近距離無線通信を行う対向装置（以下、ペアリング装置）の認証および登録を行う。
【００２５】
入力部２４は、使用者からの入力を受け付け、入力された内容に応じた信号を制御部２６に出力する。なお、入力部２４を介して入力される内容としては、ペアリング装置の指定、情報処理装置２０において所定のイベントが発生した場合に使用者に通知する動作モードの設定などがある。
【００２６】
設定記憶部２５は、ペアリング処理部２３が認証を行ったペアリング装置を示す情報、入力部２４を介して入力された動作モードの設定などを記憶する。
【００２７】
制御部２６は、情報処理装置２０への通話あるいはメールの着信など所定のイベントが発生すると、所定のイベントが発生したことを示すイベント発生信号を、近距離通信部２２に設定記憶部２５に記憶されている情報に示されるペアリング装置へ送信させる。なお、所定のイベントは、例えば、使用者により予め設定された時刻になったことなどであってもよい。
【００２８】
次に、通知装置３０の構成について説明する。
【００２９】
図３は、通知装置３０の要部構成を示すブロック図である。
【００３０】
図３に示す通知装置３０は、近距離通信部３１と、ペアリング処理部３２と、触圧覚提示部３３と、電圧印加部３４と、温度測定部３５と、設定記憶部３６と、制御部３７と、を有する。近距離通信部３１は、第２の通信部の一例であり、電圧印加部３４は、加熱部の一例であり、制御部３７は、第２の制御部の一例である。
【００３１】
近距離通信部３１は、図２においては不図示の情報処理装置２０との間で行われるＢｌｕｅｔｏｏｔｈ（登録商標）などの近距離無線通信を処理する。
【００３２】
ペアリング処理部３２は、近距離通信部２２を介して近距離無線通信を行うペアリング装置の認証および登録を行う。
【００３３】
触圧覚提示部３３は、形状記憶合金を備えており、形状記憶合金が変形することで通知装置３０を装着している使用者に触圧覚を呈示する。
【００３４】
電圧印加部３４は、触圧覚提示部３３の備える形状記憶合金への電圧の印加を行う。電圧の印加が行われることで、形状記憶合金の温度が上昇し、形状記憶合金が変形する。
【００３５】
温度測定部３５は、触圧覚提示部３３の備える形状記憶合金の温度を測定し、測定結果を制御部３７に出力する。
【００３６】
設定記憶部３６は、ペアリング処理部２３が認証を行ったペアリング装置を示す情報などを記憶する。
【００３７】
制御部３７は、イベント発生信号を近距離通信部３１が受信すると、電圧印加部３４に触圧覚提示部３３の備える形状記憶合金への電圧の印加を行わせる。また、制御部３７は、形状記憶合金への電圧の印加中に温度測定部３５からの出力に示される形状記憶合金の温度が所定の温度以上になると、電圧印加部３４に形状記憶合金への電圧の印加を停止させる。
【００３８】
図４は、通知装置３０の外観を示す図である。また、図５は、通知装置３０の使用者に装着された状態を示す図である。なお、以下では、通知装置３０は、使用者に装着される腕時計であるものとする。
【００３９】
図４および図５に示すように、通知装置３０（腕時計）が使用者に装着された状態で、使用者の肌に接触するベルト部分に形状記憶合金４１が設けられている。
【００４０】
形状記憶合金４１は、通知装置３０が使用者に装着された状態で環状となるベルトに対して外向きに湾曲した形状を記憶している。
【００４１】
次に、本実施形態の情報処理装置２０の動作について説明する。
【００４２】
なお、以下では、通話あるいはメールの着信があると、所定のイベントが発生したものとして使用者に通知を行う例を用いて説明する。
【００４３】
図６は、本実施形態の情報処理装置２０の動作を示すフローチャートである。
【００４４】
制御部２６は、無線部２１を介して通話あるいはメールの着信があるか否かを判定する（ステップＳ６１）。
【００４５】
通話あるいはメールの着信がない場合には（ステップＳ６１：Ｎｏ）、制御部２６は、ステップＳ６１の処理を繰り返す。
【００４６】
通話あるいはメールの着信がある場合には（ステップＳ６１：Ｙｅｓ）、制御部２６は、設定記憶部２５に記憶されている動作モードの設定が、所定のイベントの発生を通知装置３０に転送する転送モードであるか否かを判定する（ステップＳ６２：Ｎｏ）。
【００４７】
動作モードが転送モードでない場合には（ステップＳ６２：Ｎｏ）、制御部２６は、図２においては不図示のスピーカーを介して着信音を出力したり、図２においては不図示のバイブレータを振動させたりして、通話あるいはメールの着信があったことを使用者に通知し、処理を終了する。
【００４８】
動作モードが転送モードである場合には（ステップＳ６２：Ｙｅｓ）、制御部２６は、設定記憶部２５にペアリング装置を示す情報が記憶されているか否かを判定する（ステップＳ６３）。
【００４９】
ペアリング装置を示す情報が記憶されていない場合には（ステップＳ６３：Ｎｏ）、制御部２６は、例えば、ペアリング装置が登録されていない旨を図２においては不図示の表示部に表示するなどして処理を終了する。なお、ペアリング装置を示す情報が記憶されていない場合には、動作モードが転送モードでない場合と同様に、スピーカーを介して着信音を出力したり、バイブレータを振動させたりして、通話あるいはメールの着信があったことを使用者に通知してもよい。
【００５０】
ペアリング装置を示す情報が記憶されている場合には（ステップＳ６３：Ｙｅｓ）、制御部２６は、所定のイベントが発生したことを示すイベント発生信号を、情報処理装置２０を示す情報などと併せて、近距離無線部２２に送信させる（ステップＳ６４）。
【００５１】
次に、本実施形態の通知装置３０の動作について説明する。
【００５２】
図７は、通知装置３０のイベント発生信号受信時の動作を示すフローチャートである。
【００５３】
まず、制御部３７は、近距離通信部３１を介してイベント発生信号を受信したか否かを判定する（ステップＳ７１）。
【００５４】
イベント発生信号を受信していない場合には（ステップＳ７１：Ｎｏ）、制御部３７は、ステップＳ７１の処理を繰り返す。
【００５５】
イベント発生信号を受信した場合には（ステップＳ７１：Ｙｅｓ）、制御部３７は、そのイベント発生信号と併せて送信されてきた情報に基づいて、そのイベント発生信号の送信元が設定記憶部３６に記憶されている情報に示されるペアリング装置であるか否かを判定する（ステップＳ７２）。
【００５６】
イベント発生信号の送信元がペアリング装置でない場合には（ステップＳ７２：Ｎｏ）、制御部３７は、処理を終了する。
【００５７】
イベント発生信号の送信元がペアリング装置である場合には（ステップＳ７２：Ｙｅｓ）、制御部３７は、電圧印加部３４に触圧覚呈示部３３の備える形状記憶合金に電圧を印加する電圧印加処理の開始を指示する。電圧印加部３４は、制御部３７からの指示を受けて、電圧印加処理を行う（ステップＳ７３）。
【００５８】
電圧の印加が行われると、形状記憶合金の温度が上昇し、形状記憶合金が変形する。ここで、上述したように、形状記憶合金は、通知装置３０（腕時計）の装着時に環状となるベルトに対して外向きに湾曲した形状を記憶している。そのため、電圧の印加が行われることで、形状記憶合金４１が、図８の矢印８１に示すように、環状のベルトに対して外向きに湾曲するように変形する。形状記憶合金４１の変形に伴い、留め金部８２の位置が、図８の矢印８３に示すように、時計本体部８４に向かって変位する。そのため、通知装置３０を装着している使用者には、通知装置３０を装着している部分が締めつけられるような触圧覚を呈示することができる。
【００５９】
なお、図８に示した形状記憶合金４１の変形前後の形状はあくまでも一例であり、使用者に触圧覚を呈示することができれば、形状記憶合金４１の変形前後の形状はいかなるものであってもよい。
【００６０】
再び、図８を参照すると、制御部３７は、電圧印加部３４に電圧印加処理の開始を指示するとともに、温度測定部３５に触圧覚呈示部３３の備える形状記憶合金の温度の測定を指示する。温度測定部３５は、制御部３７の指示を受けて、形状記憶合金の温度を測定する。ここで、温度測定部３５は、形状記憶合金の使用者に触れる部分の温度を測定する。
【００６１】
電圧印加処理が終了すると、制御部３７は、処理を終了する。
【００６２】
次に、通知装置３０の電圧印加処理時の動作について説明する。
【００６３】
図９は、通知装置３０の電圧印加処理時の動作を示すフローチャートである。
【００６４】
制御部３７は、所定の時間間隔で、触圧覚呈示部３３の備える形状記憶合金への電圧の印加を開始した後、予め設定された電圧印加処理を行う印加時間が経過したか否かを判定する（ステップＳ９１）。
【００６５】
印加時間が経過した場合には（ステップＳ９１：Ｙｅｓ）、制御部３７は、電圧印加処理を終了する。
【００６６】
印加時間が経過していない場合には（ステップＳ９１：Ｎｏ）、制御部３７は、温度測定部３５の出力に示される形状記憶合金の温度が所定の温度（異常温度）以上であるか否かを判定する（ステップＳ９２）。なお、異常温度としては、形状記憶合金が変形する変形温度よりも高く、かつ、通知装置３０が使用者に装着されている状態で火傷などを負う可能性がある温度よりも低い温度が設定される。
【００６７】
形状記憶合金の温度が異常温度以上である場合には（ステップＳ９２：Ｙｅｓ）、制御部３７は、保護動作として、電圧印加処理を終了する。このように、形状記憶合金の温度が異常温度以上である場合には電圧印加処理を終了することで、形状記憶合金の温度が、使用者が火傷などをする温度まで上がることがないので、安全性を高めることができる。
【００６８】
形状記憶合金の温度が異常温度未満である場合には（ステップＳ９２：Ｎｏ）、制御部３７は、形状記憶合金の温度が変形温度以上であるか否かを判定する（ステップＳ９３）。
【００６９】
形状記憶合金の温度が変形温度以上である場合には（ステップＳ９３：Ｙｅｓ）、制御部３７は、ステップＳ９１の処理に戻る。
【００７０】
形状記憶合金の温度が変形温度未満である場合には（ステップＳ９３：Ｎｏ）、制御部３７は、形状記憶合金の温度を上昇させるために、電圧印加部３４に、例えば、所定時間だけ触圧覚呈示部３３への電圧の印加を行わせた後に、ステップＳ９１の処理に戻る。
【００７１】
このように本実施形態の通知システム１０によれば、情報処理装置２０は、所定のイベントが発生すると、イベント発生信号を通知装置３０に送信する。通知装置３０は、イベント発生信号を受信すると、触圧覚呈示部３４の備える形状記憶合金への電圧の印加を行って加熱し、変形させることで、使用者に触圧覚を呈示し、通知を行う。また、通知装置３０は、形状記憶合金の温度が異常温度以上になると、形状記憶合金への電圧の印加を停止する。
【００７２】
使用者に触圧覚を呈示して通知を行うために、着信音を出力したり、バイブレータを振動させたりして通知を行う場合と比較して、周囲の迷惑となることなく、使用者に通知を行うことができる。また、形状記憶合金の温度が異常温度以上になると、形状記憶合金への電圧の印加を停止するために、形状記憶合金が高くなり、使用者が火傷などを負う可能性を低減し、安全性を高めることができる。
【００７３】
なお、本実施形態においては、図５に示すように、形状記憶合金４１が環状のベルトに対して外向きに変形する例を用いて説明したが、これに限られるものでなく、形状記憶合金４１は、環状のベルトに対して内向きに変形するようにしてもよい。
【００７４】
また、本実施形態においては、通知装置３０が腕時計である例を主に説明したが、通知装置３０は、上述したように、ヘッドバンド付きのヘッドフォンなどであってもよい。通知装置３０がヘッドバンド付きのヘッドフォンである場合には、ヘッドバンド部分に形状記憶合金が備えられ、その形状記憶合金が閉まる、あるいは、開くことで、触圧覚を使用者に呈示することができる。
【００７５】
また、本実施形態においては、形状記憶合金に電圧を印加して加熱する例を用いて説明したが、これに限られるものではなく、ヒータなどを用いて形状記憶合金を加熱してもよい。
【００７６】
（第２の実施形態）
図１０は、本発明の第２の実施形態の通知システム１００の構成を示す図である。
【００７７】
図１０に示す通知システム１００は、情報処理装置２００と通知装置３００とを有する。
【００７８】
情報処理装置２００は、第１の実施形態の情報処理装置２０に相当するものである。
【００７９】
通知装置３００は、第１の実施形態の通知装置３０に相当するものである。
【００８０】
次に、情報処理装置２００の要部構成について説明する。
【００８１】
図１０に示す情報処理装置２００は、近距離通信部２１０と、制御部２２０と、を有する。近距離通信部２１０は、第１の通信部の一例であり、制御部２２０は、第１の制御部の一例である。
【００８２】
近距離通信部２１０は、通知装置３００と通信する。
【００８３】
制御部２２０は、所定のイベントが発生すると、イベント発生信号を近距離通信部２１０に通知装置３００へ送信させる。
【００８４】
次に、通知装置３００の要部構成について説明する。
【００８５】
図１０に示す通知装置３００は、近距離通信部３１０と、触圧覚呈示部３２０と、加熱部３３０と、温度測定部３４０と、制御部３５０と、を有する。
【００８６】
近距離通信部３１０は、情報処理装置２００と通信する。
【００８７】
触圧覚呈示部３２０は、形状記憶合金を備え、その形状記憶合金が変形することで使用者に触圧覚を呈示する。
【００８８】
加熱部３３０は、触圧覚呈示部３２０の備える形状記憶合金の加熱を行う。なお、加熱部３３０は、例えば、ヒータである。また、加熱部３３０は、形状記憶合金に電圧を印加することで、形状記憶合金を加熱する。
【００８９】
温度測定部３４０は、触圧覚呈示部３２０の備える形状記憶合金の温度を測定し、測定結果を出力する。
【００９０】
制御部３５０は、近距離通信部３１０がイベント発生信号を受信すると、加熱部３３０に触圧覚呈示部３２０の備える形状記憶合金の加熱を行わせる。また、制御部３５０は、温度測定部３４０の出力に示される形状記憶合金の温度が所定の温度以上となると、加熱部３３０に形状記憶合金の加熱を停止させる。
【００９１】
このように本実施形態の通知システム１００によれば、情報処理装置２００は、所定のイベントが発生すると、イベント発生信号を通知装置３００に送信する。通知装置３００は、イベント発生信号を受信すると、触圧覚呈示部３２０の備える形状記憶合金の加熱を行って変形させることで、使用者に触圧覚を呈示し、通知を行う。また、通知装置３００は、形状記憶合金の温度が異常温度以上になると、形状記憶合金への加熱を停止する。
【００９２】
使用者に触圧覚を呈示して通知を行うために、着信音を出力したり、バイブレータを振動させたりして通知を行う場合と比較して、周囲の迷惑となることなく、使用者に通知を行うことができる。また、形状記憶合金の温度が所定の温度以上になると、形状記憶合金への電圧の印加を停止するために、形状記憶合金が高くなり、使用者が火傷などを負う可能性を低減し、安全性を高めることができる。
【符号の説明】
【００９３】
１０，１００    通知システム
２０，２００    情報処理装置
２１    無線部
２２，２１０    近距離通信部
２３    ペアリング処理部
２４    入力部
２５    設定記憶部
２６，２２０    制御部
３０，３００    通知装置
３１，３１０    近距離通信部
３２    ペアリング処理部
３３，３２０    触圧覚呈示部
３４    電圧印加部
３５，３４０    温度測定部
３６    設定記憶部
３７，３５０    制御部
４１    形状記憶合金
８２    留め金部
８４    時計本体部
３３０    加熱部
【図１】
2013183368.tif 000003
【図２】
2013183368.tif 000004
【図３】
2013183368.tif 000005
【図６】
2013183368.tif 000006
【図７】
2013183368.tif 000007
【図９】
2013183368.tif 000008
【図１０】
2013183368.tif 000009
【図４】
2013183368.tif 000010
【図５】
2013183368.tif 000011
【図８】
2013183368.tif 000012